(57)【要約】  【課題】  複写機、ファックス、プリンター等におけるトナーカートリッジ等の回転軸の周面に付着した粉末が軸受部に混入して回転の妨げになったり外部へ漏出したりしないように、軸受部の内側（例、トナー槽の左右側板）に取り付けて粉末の侵入をシールする粉末シール片に係り、該粉末シール片の内面となる面の長手方向に凸条若しくは溝１１を形成することによってシール機能を格段に向上した。  【解決手段】  発泡プラスチック等からなるホルダー９を中心として、その表面にテフロン(登録商標)フエルト片８を容易に剥離しない状態に固着し、裏面に両面接着テープ７の片面を固着すると共に該両面接着テープ７の他方面に剥離紙7ａを接着して前記４者を積層構成したものを、凹部６の形状に略見合ったＪ形等の形状に成形加工して設けたものである粉末シール片において、該粉末シール片の長手方向の中心線ｃに平行して１本以上の設定長の切れ目１０を切設して設けた、回転軸１の粉末シール片Ａ１によって課題を解決した。  【選択図】図１
2005036917.tif 000002
【特許請求の範囲】
【請求項１】
トナーケース等の軸受凹部内面に固着して粉末のもれ出しをシールするのに用いる粉末シール片の幅及び長さに見合った寸法の短冊状で弾力性のある発泡プラスチック、ゴム、若しくはフエルト等からなるホルダーを中心として、その表面にテフロン(登録商標)フエルト片を容易に剥離しない状態に固着し、裏面に両面接着テープの片面を固着すると共に該両面接着テープの他方面に剥離紙を接着して前記４者を積層構成したものを、凹部の形状に略見合ったＪ形、Ｕ形、Ｃ形等の形状に成形加工して設けたものである粉末シール片において、
該粉末シール片の長手方向の中心線に平行して１本以上の設定長の切れ目を切設したことを特徴とする、回転軸の粉末シール片。
【請求項２】
トナーケース等の軸受凹部内面に固着して粉末のもれ出しをシールするのに用いる粉末シール片の幅及び長さに見合った寸法の短冊状で弾力性のある発泡プラスチック、ゴム、若しくはフエルト等からなるホルダーを中心として、その表面にテフロンフエルト片を容易に剥離しない状態に固着し、裏面に両面接着テープの片面を固着すると共に該両面接着テープの他方面に剥離紙を接着して前記４者を積層構成したものを、凹部の形状に略見合ったＪ形、Ｕ形、Ｃ形等の形状に成形加工して設けたものである粉末シール片において、
該粉末シール片の長手方向の中心線に対し設定角度傾斜して１本以上の設定長の切れ目を切設したことを特徴とする、回転軸の粉末シール片。
【発明の詳細な説明】
【技術分野】
【０００１】
複写機、ファックス、プリンター等におけるトナーカートリッジ等の回転軸の周面に付着した粉末(例、トナー)が軸受部に混入して回転の妨げにならないように、軸受部の内側に取付けて粉末の侵入をシールする粉末シール片に係り、該粉末シール片に切れ目を切設することによってシール機能を格段に向上した。
【背景技術】
【０００２】
現在、複写機、ファックス、プリンター等において、粉末（例、トナー即ちカーボン微粉末）を充填した長方形箱状等のケースにマグネットローラー、転写ローラー等の回転軸をセットしたトナーカートリッジ等が広く用いられているが、長期間の使用により、これらの回転軸１の周面に付着した粉末２が軸受部３に混入して回転の妨げにならないように、通常、軸受部３の内側（例、トナー槽の左右側板４）に粉末２をシールするシール部５を設けて、該シール部５から軸受部３側へ粉末がもれ出ないようにしている。
【０００３】
該シール部５は回転軸１をトナーケース等の正面側若しくは上面側から嵌合取付けするＪ字形等の凹部６を形成し、該凹部６の内周面に、粉末のもれをシールする粉末シール片を一体的に接着してある。（図４、図５参照）
【０００４】
そして、粉末シール片は素材として、弾力性があって摩擦抵抗が極めて少なく、耐久性に秀れ、高密度に絡合した繊維が微粉末の侵入を有効に防御する作用を行う等の秀れた特性を兼備したテフロン(登録商標)フエルトを使用している。
また、該テフロンフエルトは１万円札大で１万円すると言われる位に極めて高価であり、厚さが増すほど高価であるため、他の素材と組み合わせて使用するのが通例である。
【０００５】
上記粉末シール片は、メーカーによって多少相違するが、例えば、幅１０ｍｍ位、長さ４５ｍｍ位、厚さ１ｍｍ位のテフロンフエルト片８と厚さ３ｍｍ位の発泡プラスチック片等のホルダー９を容易に剥離しない状態に積層形成したものの裏面に両面接着フイルム７の片面を接着（他方面に剥離紙７ａを接着）したものであり、該粉末シール片を、上記シール部５の凹部６の内周面に、両面接着フイルム７の他方面（剥離紙７ａを剥がして）を固着して取付けたものである。（図１参照）
【特許文献１】特開平５−１８１３５４
【特許文献２】特願２００1−５９５７５
【特許文献３】特願２００1−２０８２０６
【０００６】
また、従来、テフロン繊維を表面側に起毛状態に織り出したビロード織布のようなテフロン織布を設け、該テフロン織布シート１１を形抜き加工して粉末シール片を製造することが行われているが、この粉末シール片は表面に起毛状態となっているテフロン繊維１２が一定方向に傾斜しているため、回転軸１の回転方向と傾斜方向が一致した状態では摩擦回転が滑らかであり、同時に無数の起毛繊維間に粉末２を効果的に有効に抱持できるため、粉末２の漏出を有効に防止できる特徴があって、その特徴を一部のメーカーに認められ採用されている。（図７参照）
【０００７】
ところが、該テフロン織布素材シートは高価な前記テフロンフェルトシートに比して更に格段に高価である上に、テフロン起毛繊維に一定の方向性があるため、粉末シール片に形抜き加工するときにテフロン起毛繊維の方向を一致させて加工しなければならず、よって、シートの単位面積当たりの個数取り歩留まりが悪く、それが粉末シール片のコストを押し上げている課題があった。
【０００８】
更に、該粉末シール片の取付け作業時に、テフロン起毛繊維の傾斜方向を回転軸の回転方向に合わせて取付けないと、逆にテフロン起毛繊維がトナーを弾き出すように作用するため、各粉末シール片のテフロン起毛繊維の傾斜方向を回転軸の回転方向に合わせて取付けねばならぬため、作業効率が悪い課題があった。
【発明の開示】
【発明が解決しようとする課題】
【０００９】
従来シール性能を向上せんとすると、コストも高くならざるを得ないという課題があったが、本発明は、従来のホルダー、テフロンフエルト片、両面接着テープ、剥離紙の４者を積層構成したものをＪ形等に成形加工して設けた構成の粉末シール片おいて、該粉末シール片に切れ目を切設することによって、コストを引き上げずに格段にシール性能を向上した粉末シール片を提供して従来の課題を解決したものである。
【課題を解決するための手段】
【００１０】
本発明は、トナーケース等の軸受凹部内面に固着して粉末のもれ出しをシールするのに用いる粉末シール片の幅及び長さに見合った寸法の短冊状で弾力性のある発泡プラスチック、ゴム、若しくはフエルト等からなるホルダーを中心として、その表面にテフロンフエルト片を容易に剥離しない状態に固着し、裏面に両面接着テープの片面を固着すると共に該両面接着テープの他方面に剥離紙を接着して前記４者を積層構成したものを、凹部の形状に略見合ったＪ形、Ｕ形、Ｃ形等の形状に成形加工して設けたものである粉末シール片において、
【００１１】
該粉末シール片の長手方向の中心線に平行して１本以上の設定長の切れ目を切設したことを特徴とする、回転軸の粉末シール片によって課題を解決した。
【００１２】
また、本発明は、同じく、トナーケース等の軸受凹部内面に固着して粉末のもれ出しをシールするのに用いる粉末シール片の幅及び長さに見合った寸法の短冊状で弾力性のある発泡プラスチック、ゴム、若しくはフエルト等からなるホルダーを中心として、その表面にテフロンフエルト片を容易に剥離しない状態に固着し、裏面に両面接着テープの片面を固着すると共に該両面接着テープの他方面に剥離紙を接着して前記４者を積層構成したものを、凹部の形状に略見合ったＪ形、Ｕ形、Ｃ形等の形状に成形加工して設けたものである粉末シール片において、
【００１３】
該粉末シール片の長手方向の中心線に対し設定角度傾斜して１本以上の設定長の切れ目を切設したことを特徴とする、回転軸の粉末シール片によって課題を解決した。
【発明の効果】
【００１４】
粉末シール片に設定長の切れ目を切設したため、回転軸とその周面に接触している粉末シール片のテフロンフェルト片の間に進入して来た粉末(トナー)が該切れ目に入り抱持されてそこに停止して外部への漏出を有効に防止し得る効果がある。
【００１５】
また、切れ目に入った粉末(トナー)を、粉末シール片のテフロンフェルト片の繊維間及びホルダーの発泡プラスチックの微小泡内に多量に抱持することができるので、切れ目によるシール効果を長期間持続し得る優れた特徴がある。
【００１６】
更に、切れ目を２本以上切設すれば、２段階以上に粉末(トナー)の進入を防止できて、より以上にシール効果を向上し得る。
【発明を実施するための最良の形態】
【００１７】
粉末シール片のコストを上げることなくシール効果を向上するという目的を、粉末シール片に切れ目を切設することによって実現した。
【実施例１】
【００１８】
図１は本発明実施例１の粉末シール片の正面図、平面図、及び右側面図、図２は図１の展開正面図、図３は図２のＢ−Ｂ線拡大断面図、図４は粉末シール片をシール部に取付けた一部切断正面図、図５は図４のＤ−Ｄ線断面図である。
【００１９】
図面において、トナーケース等の回転軸１の軸受部３の凹部６の内面に固着して粉末(例、トナー)２のもれ出しをシールするのに用いる粉末シール片の幅及び長さに見合った寸法の短冊状で弾力性のある発泡プラスチック、ゴム、若しくはフエルト等からなるホルダー９を中心として、その表面にテフロンフエルト片８を容易に剥離しない状態に固着し、裏面に両面接着テープ７の片面を固着すると共に該両面接着テープ７の他方面に剥離紙7ａを接着して前記４者９、８、７、7ａを積層構成したものを、凹部６の形状に略見合ったＪ形、Ｕ形、Ｃ形等の形状に成形加工して設けたものである粉末シール片において、
【００２０】
該粉末シール片の長手方向の中心線ｃに平行して１本以上の設定長の切れ目１０を切設して、回転軸１の粉末シール片Ａ１を設けたものである。
【００２１】
上記の切れ目１０は、長さ４５ｍｍ、幅１０ｍｍの実施例粉末シール片Ａ１の略中央部に２本平行に切設し、各切れ目の長さを６〜１０ミリメートルに設定した。
【実施例２】
【００２２】
図６は本発明実施例２の粉末シール片の展開正面図である。
【００２３】
図面において、トナーケース等の回転軸１の軸受部３の凹部６の内面に固着して粉末(例、トナー)２のもれ出しをシールするのに用いる粉末シール片の幅及び長さに見合った寸法の短冊状で弾力性のある発泡プラスチック、ゴム、若しくはフエルト等からなるホルダー９を中心として、その表面にテフロンフエルト片８を容易に剥離しない状態に固着し、裏面に両面接着テープ７の片面を固着すると共に該両面接着テープ７の他方面に剥離紙7ａを接着して前記４者９、８、７、7ａを積層構成したものを、凹部６の形状に略見合ったＪ形、Ｕ形、Ｃ形等の形状に成形加工して設けたものである粉末シール片において、
【００２４】
該粉末シール片の長手方向の中心線ｃに対し設定角度傾斜して１本以上の設定長の切れ目１０を切設して、回転軸１の粉末シール片Ａ２を設けたものである。
【００２５】
上記の切れ目１０の傾斜角度は、中心線ｃに対し１５〜３０度に設定した。
【産業上の利用可能性】
【００２６】
複写機、ファックス、プリンター等におけるトナーカートリッジ等の回転軸の周面に付着した粉末が軸受部に混入して回転の妨げになったり外部へ漏出したりしないように、軸受部の内側（例、トナー槽の左右側板）に取り付けて粉末の侵入をシールする粉末シール片に係り、該粉末シール片に切れ目を切設することでシール性能を格段に向上した粉末シール片を安価に提供できる。
【図面の簡単な説明】
【００２７】
【図１】本発明実施例１の粉末シール片の正面図、平面図、及び右側面図。
【図２】図１の展開正面図。
【図３】図２のＢ−Ｂ線拡大断面図。
【図４】粉末シール片をシール部に取付けた一部切断正面図。
【図５】図４のＤ−Ｄ線断面図。
【図６】本発明実施例２の粉末シール片の展開正面図。
【図７】従来の起毛テフロン繊維と回転軸の回転方向の関係を示す説明図。
【符号の説明】
【００２８】
Ａ１  実施例１の粉末シール片
Ａ２  実施例２の粉末シール片
ａ    従来のテフロン織布シート
ｃ    中心線
１    回転軸
２    粉末(トナー)
３    軸受部
４    側板
５    シール部
６    凹部
７    両面粘着テープ
７ａ  剥離紙
８    テフロンフェルト片
９    ホルダー
１０  切れ目
１１  起毛テフロン繊維
【図１】
2005036917.tif 000003
【図２】
2005036917.tif 000004
【図３】
2005036917.tif 000005
【図４】
2005036917.tif 000006
【図５】
2005036917.tif 000007
【図６】
2005036917.tif 000008
【図７】
2005036917.tif 000009